【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
ソーシャルネットワーキングシステムに関連付けられた１以上のプロセッサによる方法であって、
前記ソーシャルネットワーキングシステムの１以上のオブジェクトストア内に記憶されているユーザに関する既知の情報に基づき１以上のコンテンツアイテムに対するそれぞれの１以上の参照を編集する工程であって、各参照は、前記参照に関連付けられている前記コンテンツアイテムに適用可能な１以上のコールトゥアクション要素に関連付けられており、各コールトゥアクション要素は、前記コンテンツアイテムに関係するアクションの実行を開始するために前記ユーザによって選択可能であり、前記アクションは、前記ソーシャルネットワーキングシステムの１以上のオブジェクトストア内の前記関係するコンテンツアイテムに関連付けられているメタデータを変更する、工程、と、
前記参照に関連付けられている前記ユーザに提示するための前記コールトゥアクション要素とともに前記参照を前記ユーザが前記ソーシャルネットワーキングシステムによって提供される特定のツールにアクセスした後に前記ユーザのクライアントデバイスに送信する工程であって、前記コールトゥアクション要素は、前記コールトゥアクション要素に関連付けられている前記参照の近傍において前記ユーザに提示される、工程と、を含む方法。
【請求項２】
前記ユーザに関する既知の情報は前記ユーザの人口統計データ、ソーシャルコネクション、関心、趣味、過去のアクション、挙動パターン、またはカレンダー入力を含む、請求項１に記載の方法。
【請求項３】
前記１以上の参照は、前記ユーザが前記ユーザのクライアントデバイスにおいて前記ソーシャルネットワーキングシステムによって提供される前記特定のツールにアクセスした時刻にさらに基づき編集される、請求項１に記載の方法。
【請求項４】
前記１以上の参照は、前記ユーザが前記ユーザのクライアントデバイスにおいて前記ソーシャルネットワーキングシステムによって提供される前記特定のツールにアクセスした位置にさらに基づき編集される、請求項１に記載の方法。
【請求項５】
前記ユーザに関する既知の情報に基づき前記１以上の参照をランク付けする工程をさらに含む、請求項１に記載の方法。
【請求項６】
各参照に対して、
前記ユーザに関する既知の情報に基づき各参照に関連付けられている前記コンテンツアイテムに適用可能な前記１以上のコールトゥアクション要素を識別する工程と、
各コールトゥアクション要素の前記適用可能なコンテンツアイテムに対する好適度に基づいて、かつ、オンラインソーシャルネットワークにおける前記参照に関連付けられている前記ユーザと別のユーザとの間の少なくとも１つの関係にさらに基づいて、前記コールトゥアクション要素をランク付けする工程と、
前記関連付けられた参照とともにランク付けられた前記１以上のコールトゥアクション要素を提示するための命令を前記ユーザのクライアントデバイスに送信する工程とをさらに含む、請求項１に記載の方法。
【請求項７】
少なくとも１つの最高ランクのコールトゥアクション要素を各参照に関連付ける工程をさらに含む、請求項１に記載の方法。
【請求項８】
特定の参照に関連付けられているコールトゥアクション要素の選択を前記ユーザのクライアントデバイスから受信する工程と、
前記特定の参照に関連付けられているコンテンツアイテムに関係する前記アクションを実行する工程とをさらに含む、請求項１に記載の方法。
【請求項９】
前記コールトゥアクション要素の少なくとも１つは、前記参照に対応するサーチクエリに対応し、前記コールトゥアクション要素は、前記ユーザによってサーチクエリを実行するために選択可能である、請求項１に記載の方法。
【請求項１０】
サーチクエリに対応するコールトゥアクション要素の選択を前記クライアントデバイスから受信する工程と、
前記サーチクエリと一致するオンラインソーシャルネットワークの１以上のコンテンツアイテムを識別する工程と、
前記コールトゥアクション要素の選択に応答して、識別された前記コンテンツアイテムのうちの１以上にそれぞれ対応する１以上の参照を前記ユーザのクライアントデバイスに送信する工程と、をさらに含む、請求項１に記載の方法。
【請求項１１】
前記ソーシャルネットワーキングシステムによって提供される前記特定のツールと前記ユーザとの相互作用を示す標識を前記ユーザのクライアントデバイスから受信する工程と、
前記相互作用に応答して１組の参照を識別する工程と、
前記ユーザに提示するための前記１組の参照を前記ユーザのクライアントデバイスに送信する工程と、をさらに含む、請求項１に記載の方法。
【請求項１２】
前記ソーシャルネットワーキングシステムのオブジェクトストア内に記憶されている各コンテンツアイテムは、前記コンテンツアイテムと、前記ソーシャルネットワーキングシステムの１以上のユーザまたは前記オブジェクトストア内の１以上の他のコンテンツアイテムとの間の関係情報によってインデックス化され、
前記関係するコンテンツアイテムを変更する前記アクションは、前記関係するコンテンツアイテムに関連付けられている前記関係情報を更新することをさらに含む、請求項１に記載の方法。
【請求項１３】
前記コンテンツアイテムに関係する前記アクションは、前記関係するコンテンツアイテムおよび前記ユーザに関するソーシャルグラフにおける関係情報を変更することをさらに含む、請求項１に記載の方法。
【請求項１４】
複数のノードと、前記ノード同士を接続している複数のエッジとを備えるソーシャルグラフにアクセスする工程であって、前記ノードの２つの間の前記エッジの各々は、それらのノードの間の１つの隔たり度合いを表しており、前記ノードは、
前記ユーザに対応する１つの第１のノードと、
各々がコンテンツアイテムに対応する複数の第２のノードと、を含む、工程をさらに含む、請求項１に記載の方法。
【請求項１５】
前記コンテンツアイテムに関係する前記アクションは、前記関係するコンテンツアイテムに対応する第２のノードを前記ユーザに対応する前記第１のノードに接続することをさらに含む、請求項１４に記載の方法。
【請求項１６】
少なくとも１つのコールトゥアクション要素は、前記コンテンツアイテムに関して前記ユーザによって行われる可能性のあるアクションに対応する、請求項１に記載の方法。
【請求項１７】
少なくとも１つのコールトゥアクション要素の１つは、前記コンテンツアイテムに関して前記ユーザにとって行うのに好都合なアクションに対応する、請求項１に記載の方法。
【請求項１８】
少なくとも１つのコールトゥアクション要素の１つは、前記コンテンツアイテムに関して前記ソーシャルネットワーキングシステムが前記ユーザに行うよう奨励するアクションに対応する、請求項１に記載の方法。
【請求項１９】
ソフトウェアを記録している１以上の非一時的なコンピュータ可読記憶媒体であって、実行されるとき前記ソフトウェアは、
ソーシャルネットワーキングシステムの１以上のオブジェクトストア内に記憶されているユーザに関する既知の情報に基づき１以上のコンテンツアイテムに対するそれぞれの１以上の参照を編集する工程であって、各参照は、前記参照に関連付けられている前記コンテンツアイテムに適用可能な１以上のコールトゥアクション要素に関連付けられており、各コールトゥアクション要素は、前記コンテンツアイテムに関係するアクションの実行を開始するために前記ユーザによって選択可能であり、前記アクションは、前記ソーシャルネットワーキングシステムの１以上のオブジェクトストア内の前記関係するコンテンツアイテムに関連付けられているメタデータを変更する、工程、と、
前記参照に関連付けられている前記ユーザに提示するための前記コールトゥアクション要素とともに前記参照を前記ユーザが前記ソーシャルネットワーキングシステムによって提供される特定のツールにアクセスした後に前記ユーザのクライアントデバイスに送信する工程であって、前記コールトゥアクション要素は、前記コールトゥアクション要素に関連付けられている前記参照の近傍において前記ユーザに提示される、工程と、を実行させる、媒体。
【請求項２０】
１以上のプロセッサと、前記プロセッサに結合され、前記プロセッサによって実行可能な命令を備える非一時的なメモリとを備えるソーシャルネットワーキングシステムであって、前記命令が実行されるとき前記プロセッサは、
前記ソーシャルネットワーキングシステムの１以上のオブジェクトストア内に記憶されているユーザに関する既知の情報に基づき１以上のコンテンツアイテムに対するそれぞれの１以上の参照を編集する工程であって、各参照は、前記参照に関連付けられている前記コンテンツアイテムに適用可能な１以上のコールトゥアクション要素に関連付けられており、各コールトゥアクション要素は、前記コンテンツアイテムに関係するアクションの実行を開始するために前記ユーザによって選択可能であり、前記アクションは、前記ソーシャルネットワーキングシステムの１以上のオブジェクトストア内の前記関係するコンテンツアイテムに関連付けられているメタデータを変更する、工程、と、
前記参照に関連付けられている前記ユーザに提示するための前記コールトゥアクション要素とともに前記参照を前記ユーザが前記ソーシャルネットワーキングシステムによって提供される特定のツールにアクセスした後に前記ユーザのクライアントデバイスに送信する工程であって、前記コールトゥアクション要素は、前記コールトゥアクション要素に関連付けられている前記参照の近傍において前記ユーザに提示される、工程と、を実行させる、システム。